(57)【特許請求の範囲】
【請求項１】
天井に固定される取付金具と、
前記取付金具に引っ掛け可能なスタンド部と、
前記スタンド部に旋回可能に支持された送風部と、
前記送風部を旋回させる旋回部と、
前記取付金具から前記スタンド部が外れることを防止する外れ防止手段とを備え、
前記外れ防止手段は、
前記スタンド部に設け、前記外れ防止手段の緩みが大きくなることを防止する緩み防止手段と、
前記取付金具に備えたネジ装着部分と、
前記緩み防止手段と前記ネジ装着部分とを固定する取付ネジとを備え、
前記緩み防止手段は、前記取付ネジを締めると、導電板を有した押圧部を介してバネ部が圧縮され前記バネ部が前記取付ネジの緩み止めとなると共に、前記導電板と充電端子とが接触し前記送風部と前記旋回部へ通電し、前記取付ネジの固定が緩むと、前記バネ部によって前記充電端子と前記導電板が非接触となり前記送風部と前記旋回部への通電を遮断することを特徴とする天井扇風機。
【発明の詳細な説明】
【技術分野】
【０００１】
本発明は、一般の家屋や公共施設、飲食店などに使用される天井扇風機に関するものである。
【背景技術】
【０００２】
従来、この種の天井扇風機は、一般の家屋や公共施設、飲食店などの天井に設置され、軸流型の羽根車を回転させて昇圧した空気を前方に押し出して送風し、その風を人体に当てて涼感を得るだけでなく、羽根車が旋回することで一方向だけでなく様々な方向に対して送風できるものが知られている（例えば、特許文献１参照）。
【０００３】
以下、その天井扇風機について図７および図８を参照しながら説明する。
【０００４】
図６および図７に示すように、天井１０１に固定された取付金具１０２に対して、引っ掛け可能なスタンド部１０３が接続されている。スタンド部１０３はジンバル１０９を回動可能に備えている。モータ部１０４は回転するファン１１５と、ファン１１５を内包するようにガード１０６を先端に備えている。モータ部１０４はジンバル１０９に回動可能に接続されるとともに、モータ部１０４のファン１１５と反対側の端は、旋回可能とするクランク部１０７に接続されている。スタンド部１０３は緩み防止部１０８を備えている。取付ネジ１１０は緩み防止部１０８を介して取付金具１０２にネジ固定されている。
【先行技術文献】
【特許文献】
【０００５】
【特許文献１】特開昭６１−１６９６９７号公報
【発明の概要】
【発明が解決しようとする課題】
【０００６】
このような従来の天井扇風機においては、クランク部１０７の旋回に併せてモータ部１０４も旋回することができ、羽根車が回転することで空気を昇圧し、昇圧された空気を前方に押し出すことで、天井から下方の様々な方向へ送風する。また、スタンド部１０３は緩み防止部１０８を介して取付ネジ１１０により取付金具１０２へ固定されるため、取付金具１０２から外れることなく天井に設置することができる構成となっている。
【０００７】
しかし、例えば取付ネジ１１０の固定が緩いような、天井扇風機の設置に不備があるような場合、ファン１１５の回転とモータ部１０４の旋回による振動がスタンド部１０３へ伝わり、取付ネジ１１０が振動して緩くなるのに併せて、取付金具１０２とスタンド部１０３の固定も緩くなることで、振動騒音がより大きくなるという課題を有していた。
【０００８】
そこで本発明は、上記従来の課題を解決するものであり、取付ネジ１１０が緩みにくく、また緩んだ場合には、振動騒音が大きくなることを防止した天井扇風機を提供することを目的とする。
【課題を解決するための手段】
【０００９】
そして、この目的を達成するために、本発明は、天井に固定される取付金具と、前記取付金具に引っ掛け可能なスタンド部と、前記スタンド部に旋回可能に支持された送風部と、前記送風部を旋回させる旋回部と、前記取付金具から前記スタンド部が外れることを防止する外れ防止手段とを備え、前記外れ防止手段は、前記スタンド部に設け、前記外れ防止手段の緩みが大きくなることを防止する緩み防止手段と、前記取付金具に備えたネジ装着部分と、前記緩み防止手段と前記ネジ装着部分とを固定する取付ネジとを備え、前記緩み防止手段は、前記取付ネジを締めると、導電板を有した押圧部を介してバネ部が圧縮され前記バネ部が前記取付ネジの緩み止めとなると共に、前記導電板と充電端子とが接触し前記送風部と前記旋回部へ通電し、前記取付ネジの固定が緩むと、前記バネ部によって前記充電端子と前記導電板が非接触となり前記送風部と前記旋回部への通電を遮断することを特徴とするものであり、これにより所期の目的を達成するものである。
【発明の効果】
【００１０】
本発明によれば、緩み防止手段は、取付ネジを締めると、導電板を有した押圧部を介してバネ部が圧縮されバネ部が取付ネジの緩み止めとなると共に、導電板と充電端子とが接触し送風部と旋回部へ通電し、取付ネジの固定が緩むと、バネ部によって充電端子と導電板が非接触となり送風部と旋回部への通電を遮断し、羽根車の回転とモータ部の旋回が停止するので、ファンの回転とモータ部の旋回に伴う振動騒音も停止できるという効果を奏する。
【図面の簡単な説明】
【００１１】
【図１】本発明の実施の形態１の天井扇風機の外観を示す斜視図
【図２】同天井扇風機の旋回部の構成を示す側断面図
【図３】同天井扇風機の外れ防止手段の構成を示す側断面図
【図４】同天井扇風機の充電端子とバネ部と導電板の位置関係を示す側断面図
【図５】同天井扇風機の取付ネジを取付金具へ固定したときの導電板と充電端子の接触状態を示す側断面図
【図６】同天井扇風機の導電部が通電した状態を示す側断面図
【図７】従来の天井扇風機の外観を示す側面図
【図８】同天井扇風機の取付金具への固定方法を示す側断面図
【発明を実施するための形態】
【００１２】
本発明の請求項１記載の天井扇風機は、天井に固定される取付金具と、前記取付金具に引っ掛け可能なスタンド部と、前記スタンド部に旋回可能に支持された送風部と、前記送風部を旋回させる旋回部と、前記取付金具から前記スタンド部が外れることを防止する外れ防止手段とを備え、前記外れ防止手段は、前記スタンド部に設け、前記外れ防止手段の緩みが大きくなることを防止する緩み防止手段と、前記取付金具に備えたネジ装着部分と、前記緩み防止手段と前記ネジ装着部分とを固定する取付ネジとを備え、前記緩み防止手段は、前記取付ネジを締めると、導電板を有した押圧部を介してバネ部が圧縮され前記バネ部が前記取付ネジの緩み止めとなると共に、前記導電板と充電端子とが接触し前記送風部と前記旋回部へ通電し、前記取付ネジの固定が緩むと、前記バネ部によって前記充電端子と前記導電板が非接触となり前記送風部と前記旋回部への通電を遮断することを特徴とする。これにより、前記取付金具と前記スタンド部の固定の緩みが一定以上は大きくならないため、前記羽根車の回転と、前記モータ部の旋回による振動騒音が大きくなることを防止するという効果を奏する。
【００１５】
以下、本発明の実施の形態について図面を参照しながら説明する。
【００１６】
（実施の形態１）
図１および図２に示すように、天井扇風機は、取付金具１と、スタンド部２と、旋回部３と、送風部４とを備えている。
【００１７】
取付金具１は、略環形状の鉄板で、ネジによって天井に固定される。取付金具１は、スタンド部２を引っ掛け可能な金具側引掛け部分２２と、例えばねじ切り穴のようなネジ装着部５とを備えている。このネジ装着部５には、後述する取付ネジ１４がネジ止め可能である。
【００１８】
スタンド部２は、スタンド６と、ジンバル７と、緩み防止手段８とを備えている。
【００１９】
スタンド６は、上部内方には、取付金具１の金具側引掛け部分２２に引っ掛け可能なスタンド側引掛け部分（図示せず）を有している。このスタンド側引掛け部分を、取付金具１の金具側引掛け部分２２に、下方から挿入し、所定の角度を回転させる。これにより、金具側引掛け部分２２に、スタンド側引掛け部分が引っ掛けられ、スタンド部２が、取付金具１に吊下げられる。スタンド部２の下部には、下方へ伸びた２本の支柱２Ａを備えている。２本の支柱２Ａ先端には、それぞれ第１の回動部分２３を備えている。
【００２０】
ジンバル７は、軸方向が上下方向に伸びたリング形状で、スタンド６の支柱２Ａ先端に設けた２つの第１の回動部分２３によって、支柱２Ａに回動自在に設けられている。
【００２１】
緩み防止手段８は、スタンド部２の上部外面に設けられている。
【００２２】
旋回部３は、旋回モータ２０と、旋回モータ２０に回転可能に接続されたクランク９とを備えている。旋回モータ２０は、スタンド６に装着されている。クランク９の先端は、第２の回動部分２４を有している。クランク９は、第２の回動部分２４を介して、後述するファンモータ１０と回動自在に連結されている。
【００２３】
送風部４は、ファンモータ１０と、ファンモータ１０から延びたモータ軸１０Ａに固定されたファン１１と、ファン１１を内包しファンモータ１０の先端に接続されたファンガード１２とを備えている。
【００２４】
ファンモータ１０は、ファン１１と反対側の端がクランク９に回転可能に接続されるとともに、ジンバル７に回動可能に接続されている。ファンモータ１０は、下部外面に、２つの第３の回動部分２５を有している。ファンモータ１０は、第２の回動部分２４を介して、ジンバル７と回動自在に連結されている。
【００２５】
以上の構成において、ファンモータ１０が駆動すると、モータ軸１０Ａが、ファン１１と共に回転し、ファン１１によって、天井付近の空気が、下方へ送風される。
【００２６】
また、旋回モータ２０によって、クランク９が回転すると、ファンモータ１０が、ジンバル７に対して第３の回動部分２５を回動中心として回動し、ジンバル７が、スタンド部２に対して第１の回動部分２３を回動中心として回動する。これによって、ファンモータ１０が、スタンド部２に対して、上下方向を旋回中心として旋回する。
【００２７】
本実施形態における特徴は、取付金具１からスタンド部２が外れることを防止する外れ防止手段１３と、外れ防止手段１３が所定値より緩むと、外れ防止手段１３の緩みが大きくなることを防止する緩み防止手段８を備えた点である。
【００２８】
このように、外れ防止手段１３の緩みが大きくなることを防止する緩み防止手段８を備えた構成にしたことにより、取付金具１とスタンド部２の固定の緩みが一定以上は大きくならないので、ファン１１の回転と送風部４の旋回による振動騒音が大きくなることを防止するという効果を得ることができる。
【００２９】
外れ防止手段１３は、取付金具１のネジ装着部５と、緩み防止手段８と、取付ネジ１４とからなる。ここで、スタンド部２は、天井に固定された取付金具１に、引っ掛けて取り付けられており、取付ネジ１４が、スタンド部２の上部外面に設けられている緩み防止手段８を介して、取付金具１のネジ装着部５にネジ止めされている。これにより、スタンド部２が、取付金具１に対して回転しないので、金具側引掛け部分２２からスタンド側引掛け部分が外れることを防止する。
【００３０】
図３および図４に示すように、緩み防止手段８は、押圧部１５と、バネ部１６と、導電部１７と、導電板２１とを備えている。
【００３１】
押圧部１５は、天井に対して上下に孔を備えた円筒と、この円筒から天井と平行な方向に伸びた板の端部に導電板２１を備えたものである。
【００３２】
バネ部１６は、緩み防止手段８の壁面と押圧部１５の間に備わり、かつ押圧部１５の円筒部分に挿入されるものである。
【００３３】
導電部１７は、充電端子１８と、導線１９とを備えている。
【００３４】
充電端子１８は、緩み防止手段８の壁面に、導電板２１の略直上に配設されたものである。
【００３５】
図５および図６に示すように、取付ネジ１４が緩み防止手段８を介してネジ装着部５に固定されるとき、取付ネジ１４は押圧部１５を介してバネ部１６を圧縮しながら変形させ、押圧部１５への荷重が規定値より大きくなると、押圧部１５に備わる導電板２１が充電端子１８に接触する。このとき、バネ部１６には弾性変形による弾性エネルギーが蓄積される。この反発力を利用して、取付ネジ１４の緩み止めとして働く。
【００３６】
導電板２１が充電端子１８へ接触すると、導電板２１を介して導線１９に電気が流れる。そのため、バネ部１６の材料としては、銅などの導電体を用いる。
【００３７】
導線１９に電気が流れると、上述したような挙動で天井扇風機は駆動する。
【００３８】
このとき、外れ防止手段１３により、取付金具１に、スタンド部２は安定して固定されているが、たとえば、取付ネジ１４のネジ装着部５への固定が弱い場合、即ち押圧部１５への荷重が小さく、バネ部１６の変形が十分ではないと、取付金具１へのスタンド部２の固定が不安定となり、送風部４の旋回および送風による振動騒音が大きくなる可能性がある。
【００３９】
しかし、取付ネジ１４のネジ装着部５への固定が緩く、押圧部１５によるバネ部１６への荷重が規定値よりも小さくなると、導電板２１は充電端子１８から離れることで、導線１９への通電を遮断する。導線１９への通電が遮断されると、旋回モータ２０およびファンモータ１０への給電も遮断されるため、天井扇風機は停止する。
【００４０】
これにより、取付ネジ１４のネジ装着部５への固定が緩いことで、天井扇風機の運転による振動騒音の増加を抑えることができる。
【産業上の利用可能性】
【００４１】
本発明にかかる天井扇風機は、天井に固定される取付金具とスタンド部との接続が緩み振動騒音が大きくなることを防止することを可能とするものであるので、一般家屋や公共施設、飲食店などの天井に設置されて、天井から下方へ向けてさまざまな方向へ送風し、その風に当たって涼感を得るのに使用される天井扇風機等として有用である。
【符号の説明】
【００４２】
１  取付金具
２  スタンド部
２Ａ  支柱
３  旋回部
４  送風部
５  ネジ装着部
６  スタンド
７  ジンバル
８  緩み防止手段
９  クランク
１０  ファンモータ
１０Ａ  モータ軸
１１  ファン
１２  ファンガード
１３  外れ防止手段
１４  取付ネジ
１５  押圧部
１６  バネ部
１７  導電部
１８  充電端子
１９  導線
２０  旋回モータ
２１  導電板
２２  金具側引掛け部分
２３  第１の回動部分
２４  第２の回動部分
２５  第３の回動部分
【図１】
0006471349.tif 000002
【図２】
0006471349.tif 000003
【図３】
0006471349.tif 000004
【図４】
0006471349.tif 000005
【図５】
0006471349.tif 000006
【図６】
0006471349.tif 000007
【図７】
0006471349.tif 000008
【図８】
0006471349.tif 000009